(57)【要約】【課題】煩雑な操作無く改ページを行え、書籍のサイズや装丁に依存せず一定の力で書籍を見開きの状態に保つ保持具を提供する。【解決手段】ページ保持具は、書籍の見開き面を押さえる押さえ部と、押さえ部に接合され押さえ部を見開き面上に支持する支持部と、支持部に接合され書籍の表紙を把持することにより押さえ部と支持部とを書籍に対して保持する台座部と、を備えている。【選択図】図１
2009126178.tif 000002
【特許請求の範囲】
【請求項１】
書籍用のページ保持具であって、
書籍の見開き面を押さえる押さえ部と、
前記押さえ部に接合され前記押さえ部を前記見開き面上に支持する支持部と、
前記支持部に接合され前記書籍の表紙を把持することにより前記押さえ部と前記支持部とを前記書籍に対して保持する台座部と、
を備える、ページ保持具。
【請求項２】
請求項１に記載のページ保持具において、
前記押さえ部は、前記押さえ部自身の重量によって前記見開き面を押さえる、ページ保持具。
【請求項３】
請求項１または請求項２に記載のページ保持具において、
前記台座部は、蝶つがいによって前記支持部に接合されている、ページ保持具。
【請求項４】
請求項１ないし請求項３のいずれか一項に記載のページ保持具において、
前記支持部は、前記台座部とは反対側に突出するように曲がっている、ページ保持具。
【発明の詳細な説明】
【技術分野】
【０００１】  本発明は、見開き状態の書籍のページを開いた状態に保持するための用具に関する。
【背景技術】
【０００２】  従来の書籍用のページ保持具には、クリップやゴム板などの弾性力を用いたページ保持部によってページを把持し、当該ページ保持部に取り付けられた重りの重量により書籍全体を開いた状態を保つもの（実用新案登録第３１３１１４７号、特開平１０−１５７３３２号、実開平７−１８８６５号）、又は上記ページ保持部を書籍表紙に固定するためのクリップを備えることによって書籍全体を開いた状態に保つもの（特開２００７−１５３６２号）がある。また、書籍の見開き幅の大きさを持つ台座部の両端に、バネやクリップを設けてページを開いた状態に保持するもの（特開２００４−３５８８６８号、特開２０００−３４３８６０号）がある。【０００３】
【実用新案文献１】
実用新案登録第３１３１１４７号
【特許文献１】  特開平１０−１５７３３２号
【実用新案文献１】
実開平７−１８８６５号
【特許文献１】  特開２００７−１５３６２号
【特許文献１】  特開２００４−３５８８６８号
【特許文献１】  特開２０００−３４３８６０号
【発明の開示】
【発明が解決しようとする課題】
【０００４】  しかしながら、以上の技術のうちクリップやゴム板などの弾性力を用いたページ保持部によってページを把持する保持具では、改ページの度にクリップ操作が必要であったり、厚みの薄い書籍ではゴム板の弾性が充分に働かないおそれがあった。また、書籍の見開き幅の大きさを持つ台座部の上に書籍を載せ、当該台座部の両端にバネやクリップを設けてページを開いた状態に保持する保持具では、保持具を書籍の幅に合わせるための調整機構やページ押さえの高さを調整する機構が必要となり、操作が煩雑になったり、使用できる書籍の寸法に制限がでるおそれがあった。【０００５】  本発明では、煩雑な操作無く改ページを行え、書籍のサイズや装丁に依存せず一定の力で書籍を見開きの状態に保つ保持具を提供する事を課題とする
【課題を解決するための手段】
【０００６】  本発明は、上述の課題の少なくとも一部を解決するためになされたものであり、以下の形態又は適用例として実現することが可能である。【０００７】  ［適用例１］書籍用のページ保持具であって、書籍の見開き面を押さえる押さえ部と、前記押さえ部に接合され前記押さえ部を前記見開き面上に支持する支持部と、前記支持部に接合され前記書籍の表紙を把持することにより前記押さえ部と前記支持部とを前記書籍に対して保持する台座部と、を備える、ページ保持具。【０００８】  適用例１に記載のページ保持具は、押さえ部によって書籍の見開き面を押さえ、その押さえ部は支持部を介して台座部と接合されているので、押さえ部の下へのページの差込み及び押さえ部の下からのページの引き抜きが容易に行え、煩雑な操作無く改ページを行うことができる。また、押さえ部によって書籍の見開き面を押さえるので、書籍のサイズや装丁に依存せず一定の力で書籍を見開き状態に保つことができる。【０００９】  ［適用例２］適用例１に記載のページ保持具において、前記押さえ部は、前記押さえ部自身の重量によって前記見開き面を押さえる、ページ保持部。【００１０】  このような構成とすることで、押さえ部の重量によって書籍の見開き面を押さえることになるので、改ページを非常に簡単に行うことができる。また、一定の力で見開き状態を保つことが可能となる。【００１１】  ［適用例３］適用例１または適用例２に記載のページ保持具において、前記台座部は、蝶つがいによって前記支持部に接合されている、ページ保持具。【００１２】  このような構成とすることで、押さえ部が書籍の厚み方向に自由に動くことが可能となる。また、押さえ部及び支持部が書籍の見開き面から落下することを抑制することができる。【００１３】  ［適用例４］適用例１ないし適用例３のいずれか一項に記載のページ保持具において、前記支持部は、前記台座部とは反対側に突出するように曲がっている、ページ保持具。【００１４】  このような構成とすることで、ユーザがページ保持具を配置する際に、支持部を持ち易くすることができる。また、多量のページを押さえる際に見開き面の中央寄りの位置に押さえ部を配置した場合でも、押さえたページが支持部にぶつかることを抑制することができる。
【発明を実施するための最良の形態】
【００１５】  以下、本発明を実施するための最良の形態を実施例に基づいて以下の順序で説明する。
Ａ．第１の実施例：
Ｂ．第２の実施例：
Ｃ．第３の実施例：
Ｄ．第４の実施例：
Ｅ．変形例：【００１６】Ａ．第１の実施例：
図１は、本発明の一実施例としてのページ保持具の斜視図である。このページ保持具１０は、押さえ部１と、支持部２と、台座部３と、接合部４とを備えている。押さえ部１は金属製であり、円柱形状を有している。押さえ部１の重量は、本のページを押さえておくことができる程度であり、例えば、１００グラムとすることができる。支持部２は、上方にくの字に曲がった形状を有する棒状部材であり、一端は押さえ部１と接合し、他端は接合部４に接合している。接合部４は、接合部４を支点として支持部２が上下自在に動くことができるように支持部２と台座部３とを接合している。接合部４としては、例えば、蝶つがいを採用することができる。【００１７】  台座部３は、木材から成り、切れ込み５を備えている。この切れ込み５には、差込口６から本の表紙を差し込むことができる。そして、台座部３は、木材の弾性力によって差し込まれた本の表紙を把持することができる。なお、台座部３の材料としては、木材に代えて、高い弾性を有する他の任意の材料（例えば金属など）を採用することもできる。【００１８】  図２は、図１に示すページ保持具１０において、押さえ部１を上げた状態を示す説明図である。支持部２は、接合部４を支点として上方に移動可能である。したがって、ユーザは支持部２を上に持ち上げることで押さえ部１を上方に持ち上げることができる。それゆえ、ユーザは、見開き面上の所望の位置に押さえ部１を配置するように、ページ保持具１と書籍との位置関係を調整する作業を容易に行うことができる。【００１９】  図３は、書籍のページを保持している際のページ保持具１０を示す正面図である。台座部３の切れこみ５に本の表紙１００が差込まれて、台座部３が書籍に対して保持されている。また、押さえ部１は、支持部２及び蝶つがい４によって書籍のページ１０１の上面において保持されている。【００２０】  この状態で書籍のページ１０１を押さえ部１の下（台座部３と押さえ部１の間）に差込む場合、押さえ部１は蝶つがい４を支点として上下自在に移動可能なため、容易にページ１０１を押さえ部１の下に差込むことができる。そして、押さえ部１の重量が書籍のページ１０１の上面にかかり、書籍のページ１０１を開いたままで保持できる。ここで、書籍のページ１０１は押さえ部の重量によって押さえられているだけであり、押さえ部の下に新たにページを差込む事も、また、差込まれた状態のページを引き抜く事も容易である。また、押さえ部は常に支持部によって書籍のページ１０１の上面に保持されているため、ページの差込みや引き抜き時に押さえる位置がずれる事がない。従って、ユーザは、ぺージ保持具１０を利用することで、書籍を見開き状態に保ちながら改ページを容易に行う事が可能となる。【００２１】  図４は、図３に示すページ保持具１０を斜め上方から見た斜視図である。台座部３の切れこみ５に対して、書籍の表紙１００を差込む深さを加減する事により、押さえ部１を、書籍のページ１０１上において文字の邪魔にならない位置に配置することができる。上述したように、支持部２は中間付近で上方に突出するように曲がっている。したがって、仮に、表紙１００を差込む深さが深くなり、押さえ部１が見開き面上において中央寄��の部分に位置することとなっても、押さえ部１によって押さえられた多量のページが支持部２にぶつかってしまうことを抑制することができる。【００２２】  なお、図４の例からも理解できるように、ページ保持具１０は、書籍を開いた場合の一方の側に配置して機能させることができる。したがって、見開いた際の書籍全体の大きさ（幅）の大小に関わらずページ保持具１０を利用することができる。また、書籍の表紙の厚みは、厚いものでも数ミリ程度のものが多い。それゆえ、台座部３は、ほとんどの書籍の表紙を切り込み部５によって把持することができ、押さえ部１および支持部２を支えることができる。なお、ページ保持具１０を２つ用いて、書籍の左右のページを夫々保持する事もできる。また、全ページ数の半分を境として、書籍の右側及び左側のうちページ数のより少ない側にページ保持具を配置するように、１台のページ保持具１０を配置替えしながら用いることもできる。【００２３】  以上説明したように、第１の実施例のページ保持具１０では、台座部３が書籍の表紙１００を把持し、また、押さえ部１が上下自在に動くことができるので、押さえ部１の下にページを差し込んだり、押さえ部１の下からページを引き抜いたりすることを容易に行うことができる。すなわち、改ページを容易に行うことができる。また、ページ保持具１０は、書籍を開いた場合の一方の側に配置して機能させることができるので、書籍のサイズや装丁に依存せず書籍を見開き状態に保つことができる。また、押さえ部１は、自身の重量で書籍のページを押さえるので、一定の力でページを開いた状態に保持することができる。また、支持部２は、上方すなわち台座部３とは反対側に突出するように曲がっているので、持ち上げ易いのと同時に、押さえ部１によって押さえられたページが支持部２とぶつかることを抑制することができる。【００２４】Ｂ．第２の実施例：
図５は、第２の実施例におけるページ保持具の斜視図である。第２の実施例のページ保持具１１は、接合部がバネを備えている点と、このバネの反発力によって書籍の見開き面を押さえる点において、ページ保持具（図１〜図４）と異なり、他の構成は第１の実施例と同じである。【００２５】  具体的には、このページ保持具１１は、接合部４ａにおいてバネ７を備えている。そして、このバネ７は、押さえ部１が下向きの力で台座部３を押さえるように支持部２に対して反発力を伝える。このような構成を有するページ保持具１１は、ページ保持具１０（図１等）と同様な効果を奏する。【００２６】Ｃ．第３の実施例：
図６は、第３の実施例におけるページ保持具の斜視図である。第３の実施例のページ保持具１２は、接合部の構成においてページ保持具（図１〜図４）と異なり、他の構成は第１の実施例と同じである。【００２７】  具体的には、このページ保持具１２における接合部４ｂは、支持部２を上下にスライドして移動させることができる。したがって、上述した各実施例と同様に、押さえ部１は、上下自在に移動可能である。このような構成を有するページ保持具１２は、ページ保持具１０（図１等）と同様な効果を奏する。【００２８】Ｄ．第４の実施例：
図７は、第４の実施例におけるページ保持具の斜視図である。第４の実施例のページ保持具１３は、支持部が曲がっていない点において第３の実施例のページ保持具と異なり、他の構成は第３の実施例と同じである。【００２９】  具体的には、このページ保持具１３における支持部２ａは、支持部２ａを上下にスライドして移動させるための接合部４ｂから押さえ部１に至るまで曲がっていない。このような構成を有するページ保持具１３は、ページ保持具１２（図６）と同様な効果を奏する。【００３０】Ｅ．第５の実施例：
図８は、第５の実施例におけるページ保持具の斜視図である。第５の実施例のページ保持具は、押さえ部１が支持部２と一体となっている点において第１の実施例のページ保持具と異なり、他の構成は第１の実施例と同じである。【００３１】  具体的には、このページ保持具１４では、支持部２ｂの先端部分が丸く処理されており、この支持部２ｂの先端においてページを押さえるように構成されている。本実施例では、支持部２ｂは金属製であり、本のページを押さえておくことができる程度の重さを有している。なお、支持部２ｂの先端部分が丸く処理されているのは、ページの抜き差しが容易となるためである。このような構成を有するページ保持具１４は、ページ保持具１０と同様な効果を奏する。なお、かかる構成では、支持部２ｂの先端部分が請求項における押さえ部に相当する。【００３２】Ｆ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。【００３３】Ｆ１．変形例１：
上述した第１の実施例では、接合部４は、蝶つがいで構成するものとしたが、蝶つがいに代えて、容易に変形する板状の樹脂部材を用いることもできる。以上の実施例及び変形例からの理解できるように、押さえ部１を上下自在に移動可能としつつ台座部３に支持部２を接合可能な任意の部材を、本発明のページ保持具において採用することができる。【００３４】Ｆ２．変形例２：
上述した各実施例では、台座部３が書籍の表紙１００を把持する方法として、切れ込み５を利用していたが、本発明はこれに限定されるものではない。例えば、台座部３にクリップなどの把持具を取り付け、この把持具によって表紙１００を把持するようにすることもできる。以上の実施例及び変形例からも理解できるように、書籍の表紙１００を把持可能な任意の方法を、本発明のページ保持具において採用することができる。【００３５】Ｆ３．変形例３：
上述した第１の実施例では、押さえ部は金属製であったが、金属に限らず木や合成樹脂など、他の任意の素材で製造されたものを採用することができる。また、押さえ部の形状は円柱形状であったが、球や円錐形や立方体など任意の形状とすることができる。
【図面の簡単な説明】
【００３６】
【図１】本発明の一実施例としてのページ保持具の斜視図である。
【図２】図１に示すページ保持具１０において押さえ部１を上げた状態を示す説明図である。
【図３】書籍のページを保持している際のページ保持具１０を示す正面図である。
【図４】図３に示すページ保持具１０を斜め上方から見た斜視図である。
【図５】第２の実施例におけるページ保持具の斜視図である。
【図６】第３の実施例におけるページ保持具の斜視図である。
【図７】第４の実施例におけるページ保持具の斜視図である。
【図８】第５の実施例におけるページ保持具の斜視図である。
【符号の説明】
【００３７】    １…押さえ部
２，２ａ，２ｂ…支持部
３…台座部
４，４ａ，４ｂ…接合部
５…切れ込み
６…差込口
７…バネ
１０，１１，１２，１３，１４…ページ保持具
１００…表紙
１０１…ページ
【図１】
2009126178.tif 000003
【図２】
2009126178.tif 000004
【図３】
2009126178.tif 000005
【図４】
2009126178.tif 000006
【図５】
2009126178.tif 000007
【図６】
2009126178.tif 000008
【図７】
2009126178.tif 000009
【図８】
2009126178.tif 000010